【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）において実行される方法であって、
サプリメンタリ搬送波をアクティブにするための第１の物理レイヤーメッセージをアンカー搬送波を介して受信するステップと、
前記サプリメンタリ搬送波をアクティブにするための前記第１の物理レイヤーメッセージが前記アンカー搬送波を介して受信されると、前記サプリメンタリ搬送波をアクティブにするステップと、
間欠受信（ＤＲＸ）のアクティベーションを示している第２の物理レイヤーメッセージを前記アンカー搬送波を介して受信するステップと、
ＤＲＸのアクティベーションを示している前記第２の物理レイヤーメッセージに応答して前記アンカー搬送波および前記サプリメンタリ搬送波の両方に同一のＤＲＸパターンを適用し、前記アンカー搬送波および前記サプリメンタリ搬送波のＤＲＸサイクルが前記ＤＲＸパターンに整列されるステップであって、ＤＲＸの前記アクティベーションは、前記アンカー搬送波および前記サプリメンタリ搬送波の両方に共通する、ステップと
を備えたことを特徴とする方法。
【請求項２】
前記アンカー搬送波に対するＤＲＸの非アクティベーションを示している第３の物理レイヤーメッセージを前記アンカー搬送波を介して受信するステップと、
前記アンカー搬送波に対するＤＲＸの非アクティベーションを示している前記第３の物理レイヤーメッセージに応答して、前記アンカー搬送波および前記サプリメンタリ搬送波の両方上でＤＲＸを非アクティブにするステップと
をさらに備えたことを特徴とする請求項１に記載の方法。
【請求項３】
ＤＲＸのアクティベーションを示している前記第２の物理レイヤーメッセージは高速共有制御チャネル（ＨＳ−ＳＣＣＨ）オーダーであり、およびＤＲＸの非アクティベーションを示している前記第３の物理レイヤーメッセージはＨＳ−ＳＣＣＨオーダーであることを特徴とする請求項２に記載の方法。
【請求項４】
前記サプリメンタリ搬送波を非アクティブにするための第４の物理レイヤーメッセージを前記アンカー搬送波または前記サプリメンタリ搬送波を介して受信するステップと、
前記サプリメンタリ搬送波を非アクティブにするための前記第４の物理レイヤーメッセージが前記アンカー搬送波または前記サプリメンタリ搬送波を介して受信されると、前記サプリメンタリ搬送波を非アクティブにするステップと
をさらに備えたことを特徴とする請求項２に記載の方法。
【請求項５】
前記サプリメンタリ搬送波をアクティブにするための前記第１の物理レイヤーメッセージは高速共有制御チャネル（ＨＳ−ＳＣＣＨ）オーダーであり、および前記サプリメンタリ搬送波を非アクティブにするための前記第４の物理レイヤーメッセージはＨＳ−ＳＣＣＨオーダーであることを特徴とする請求項４に記載の方法。
【請求項６】
前記サプリメンタリ搬送波を非アクティブにすると、前記サプリメンタリ搬送波に関連付けられたハイブリッド自動再送要求（ＨＡＲＱ）バッファをフラッシュするステップをさらに備えたことを特徴とする請求項４に記載の方法。
【請求項７】
前記サプリメンタリ搬送波を再アクティブにするための第５の物理レイヤーメッセージを前記アンカー搬送波を介して受信するステップと、
前記サプリメンタリ搬送波を再アクティブにするための前記第５の物理レイヤーメッセージが前記アンカー搬送波を介して受信されると、前記サプリメンタリ搬送波を再アクティブにするステップと、
前記サプリメンタリ搬送波を再アクティブにした後に受信されたオリジナルデータとして前記サプリメンタリ搬送波を介して受信されたデータを処理するステップと
をさらに備えたことを特徴とする請求項４に記載の方法。
【請求項８】
前記ＤＲＸパターンの間に、前記アンカー搬送波または前記サプリメンタリ搬送波上でデータを受信するステップと、
前記アンカー搬送波または前記サプリメンタリ搬送波上で前記データを受信すると、ＤＲＸを非アクティブにし、およびＩｎａｃｔｉｖｉｔｙ＿Ｔｈｒｅｓｈｏｌｄ＿ｆｏｒ＿ＵＥ＿ＤＲＸ＿ｃｙｃｌｅの継続期間の間、前記アンカー搬送波または前記サプリメンタリ搬送波の少なくとも１つを監視するステップと
をさらに備えたことを特徴とする請求項１に記載の方法。
【請求項９】
前記Ｉｎａｃｔｉｖｉｔｙ＿Ｔｈｒｅｓｈｏｌｄ＿ｆｏｒ＿ＵＥ＿ＤＲＸ＿ｃｙｃｌｅの前記継続期間の後、前記アンカー搬送波および前記サプリメンタリ搬送波に対する前記ＤＲＸパターンを継続するステップをさらに備えたことを特徴とする請求項８に記載の方法。
【請求項１０】
無線送受信ユニット（ＷＴＲＵ）であって、
サプリメンタリ搬送波をアクティブにするための第１の物理レイヤーメッセージをアンカー搬送波を介して受信し、
間欠受信（ＤＲＸ）のアクティベーションを示している第２の物理レイヤーメッセージを前記アンカー搬送波を介して受信する
ように構成された受信機と、
前記サプリメンタリ搬送波をアクティブにするための前記第１の物理レイヤーメッセージが前記アンカー搬送波を介して受信されると、前記サプリメンタリ搬送波をアクティブにし、
ＤＲＸのアクティベーションを示している前記第２の物理レイヤーメッセージに応答して前記アンカー搬送波および前記サプリメンタリ搬送波の両方に同一のＤＲＸパターンを適用し、前記アンカー搬送波および前記サプリメンタリ搬送波のＤＲＸサイクルが前記ＤＲＸパターンに整列され、およびＤＲＸの前記アクティベーションは、前記アンカー搬送波および前記サプリメンタリ搬送波の両方に共通する
ように構成されたコントローラーと
を備えたことを特徴とするＷＴＲＵ。
【請求項１１】
前記受信機は、前記アンカー搬送波に対するＤＲＸの非アクティベーションを示している第３の物理レイヤーメッセージを前記アンカー搬送波を介して受信するようにさらに構成され、および
前記コントローラーは、前記アンカー搬送波に対するＤＲＸの非アクティベーションを示している前記第３の物理レイヤーメッセージに応答して、前記アンカー搬送波および前記サプリメンタリ搬送波の両方上でＤＲＸを非アクティブにするようにさらに構成されたことを特徴とする請求項１０に記載のＷＴＲＵ。
【請求項１２】
ＤＲＸのアクティベーションを示している前記第２の物理レイヤーメッセージは高速共有制御チャネル（ＨＳ−ＳＣＣＨ）オーダーであり、およびＤＲＸの非アクティベーションを示している前記第３の物理レイヤーメッセージはＨＳ−ＳＣＣＨオーダーであることを特徴とする請求項１１に記載のＷＴＲＵ。
【請求項１３】
前記受信機は、前記サプリメンタリ搬送波を非アクティブにするための第４の物理レイヤーメッセージを前記アンカー搬送波または前記サプリメンタリ搬送波を介して受信するようにさらに構成され、および
前記コントローラーは、前記サプリメンタリ搬送波を非アクティブにするための前記第４の物理レイヤーメッセージが受信されると、前記サプリメンタリ搬送波を非アクティブにするようにさらに構成されたことを特徴とする請求項１１に記載のＷＴＲＵ。
【請求項１４】
前記サプリメンタリ搬送波をアクティブにするための前記第１の物理レイヤーメッセージは高速共有制御チャネル（ＨＳ−ＳＣＣＨ）オーダーであり、および前記サプリメンタリ搬送波を非アクティブにするための前記第４の物理レイヤーメッセージはＨＳ−ＳＣＣＨオーダーであることを特徴とする請求項１３に記載のＷＴＲＵ。
【請求項１５】
前記コントローラーは、前記サプリメンタリ搬送波を非アクティブにすると、前記サプリメンタリ搬送波に関連付けられたハイブリッド自動再送要求（ＨＡＲＱ）バッファをフラッシュするようにさらに構成されたことを特徴とする請求項１３に記載のＷＴＲＵ。
【請求項１６】
前記受信機は、前記サプリメンタリ搬送波を再アクティブにするための第５の物理レイヤーメッセージを前記アンカー搬送波を介して受信するようにさらに構成され、および
前記コントローラーは、
前記サプリメンタリ搬送波を再アクティブにするための前記第５の物理レイヤーメッセージが受信されると、前記サプリメンタリ搬送波を再アクティブにし、
前記サプリメンタリ搬送波を再アクティブにした後に受信されたオリジナルデータとして前記サプリメンタリ搬送波を介して受信されたデータを処理する
ようにさらに構成されたことを特徴とする請求項１３に記載のＷＴＲＵ。
【請求項１７】
前記受信機は、前記ＤＲＸパターンの間に、前記アンカー搬送波または前記サプリメンタリ搬送波上でデータを受信するようにさらに構成され、ならびに
前記コントローラーは、前記アンカー搬送波または前記サプリメンタリ搬送波上で前記データを受信すると、ＤＲＸを非アクティブにし、およびＩｎａｃｔｉｖｉｔｙ＿Ｔｈｒｅｓｈｏｌｄ＿ｆｏｒ＿ＵＥ＿ＤＲＸ＿ｃｙｃｌｅの継続期間の間、前記アンカー搬送波または前記サプリメンタリ搬送波の少なくとも１つを監視するようにさらに構成されたことを特徴とする請求項１０に記載のＷＴＲＵ。
【請求項１８】
前記コントローラーは、前記Ｉｎａｃｔｉｖｉｔｙ＿Ｔｈｒｅｓｈｏｌｄ＿ｆｏｒ＿ＵＥ＿ＤＲＸ＿ｃｙｃｌｅの前記継続期間の後、前記アンカー搬送波および前記サプリメンタリ搬送波に対する前記ＤＲＸパターンを継続するようにさらに構成されたことを特徴とする請求項１７に記載のＷＴＲＵ。
【請求項１９】
ノードＢにおいて実行される方法であって、
サプリメンタリ搬送波をアクティブにするための第１の物理レイヤーメッセージを生成するステップと、
アンカー搬送波を介して、無線送受信ユニット（ＷＴＲＵ）で前記サプリメンタリ搬送波をアクティブにするための前記第１の物理レイヤーメッセージを送信するステップと、
間欠受信（ＤＲＸ）のアクティベーションを示している第２の物理レイヤーメッセージを生成するステップと、
前記アンカー搬送波を介して、ＤＲＸのアクティベーションを示している前記第２の物理レイヤーメッセージを前記ＷＴＲＵに送信するステップであって、前記第２の物理レイヤーメッセージは、前記アンカー搬送波および前記サプリメンタリ搬送波のＤＲＸサイクルが同一のＤＲＸパターンに整列されるように、前記アンカー搬送波および前記サプリメンタリ搬送波の両方に前記ＤＲＸパターンのアクティベーションを示し、ＤＲＸの前記アクティベーションは、前記アンカー搬送波および前記サプリメンタリ搬送波の両方に共通する、ステップと
を備えたことを特徴とする方法。
【請求項２０】
前記アンカー搬送波または前記サプリメンタリ搬送波の少なくとも１つに対するＤＲＸの非アクティベーションを示している第３の物理レイヤーメッセージを生成するステップと、
前記アンカー搬送波を介して、ＤＲＸの非アクティベーションを示している前記第３の物理レイヤーメッセージを前記ＷＴＲＵに送信するステップであって、前記第３の物理レイヤーメッセージは、前記アンカー搬送波および前記サプリメンタリ搬送波の両方に適用されるように構成される、ステップと
をさらに備えたことを特徴とする請求項１９に記載の方法。
【請求項２１】
ＤＲＸのアクティベーションを示している前記第２の物理レイヤーメッセージは高速共有制御チャネル（ＨＳ−ＳＣＣＨ）オーダーであり、およびＤＲＸの非アクティベーションを示している前記第３の物理レイヤーメッセージはＨＳ−ＳＣＣＨオーダーであることを特徴とする請求項２０に記載の方法。
【請求項２２】
前記ＷＴＲＵで前記サプリメンタリ搬送波を非アクティブにするための第４の物理レイヤーメッセージを生成するステップと、
前記アンカー搬送波または前記サプリメンタリ搬送波の１つを介して、前記サプリメンタリ搬送波を非アクティブにするための前記第４の物理レイヤーメッセージを前記ＷＴＲＵに送信するステップと
をさらに備えたことを特徴とする請求項２０に記載の方法。
【請求項２３】
前記サプリメンタリ搬送波をアクティブにするための前記第１の物理レイヤーメッセージは高速共有制御チャネル（ＨＳ−ＳＣＣＨ）オーダーであり、および前記サプリメンタリ搬送波を非アクティブにするための前記第４の物理レイヤーメッセージはＨＳ−ＳＣＣＨオーダーであることを特徴とする請求項２２に記載の方法。
【請求項２４】
前記ＷＴＲＵで前記サプリメンタリ搬送波を再アクティブにするための第５の物理レイヤーメッセージを生成するステップと、
前記アンカー搬送波を介して、前記サプリメンタリ搬送波を再アクティブにするための前記第５の物理レイヤーメッセージを前記ＷＴＲＵに送信するステップと、
前記サプリメンタリ搬送波を介して、前記サプリメンタリ搬送波を再アクティブにした後にオリジナルデータとして前記ＷＴＲＵにデータを送信するステップと
をさらに備えたことを特徴とする請求項２２に記載の方法。
【請求項２５】
前記アンカー搬送波または前記サプリメンタリ搬送波の少なくとも１つを介して、前記ＤＲＸパターンにしたがって高速物理ダウンリンク共有チャネル（ＨＳ−ＰＣＳＣＨ）上でデータを送信するステップをさらに備えたことを特徴とする請求項１９に記載の方法。
【請求項２６】
前記ＤＲＸパターンは、前記アンカー搬送波および前記サプリメンタリ搬送波に対する間欠送信（ＤＴＸ）パターンに整列されることを特徴とする請求項１９に記載の方法。
【請求項２７】
前記アンカー搬送波および前記サプリメンタリ搬送波に渡る前記整列されたＤＲＸパターンに対する嗜好のインジケーションを前記ＷＴＲＵから受信するステップをさらに備えたことを特徴とする請求項１９に記載の方法。
【請求項２８】
前記アンカー搬送波および前記サプリメンタリ搬送波に対する前記ＤＲＸパターンは、２ミリ秒送信時間間隔（ＴＴＩ）に整列されることを特徴とする請求項１９に記載の方法。
【請求項２９】
アンカー搬送波またはサプリメンタリ搬送波の少なくとも１つを介して、無線送受信ユニット（ＷＴＲＵ）に物理レイヤーメッセージを送信する
ように構成された送信機と、
前記ＷＴＲＵで前記サプリメンタリ搬送波をアクティブにするための第１の物理レイヤーメッセージを生成し、
前記送信機を介して、前記アンカー搬送波上で、前記サプリメンタリ搬送波をアクティブにするための前記第１の物理レイヤーメッセージを前記ＷＴＲＵに送信し、
間欠受信（ＤＲＸ）を示している第２の物理レイヤーメッセージを生成し、
前記送信機を介して、前記アンカー搬送波上で、ＤＲＸのアクティベーションを示している前記第２の物理レイヤーメッセージを前記ＷＴＲＵに送信し、前記第２の物理レイヤーメッセージは、前記アンカー搬送波および前記サプリメンタリ搬送波のＤＲＸサイクルが同一のＤＲＸパターンに整列されるように、前記アンカー搬送波および前記サプリメンタリ搬送波の両方に前記ＤＲＸパターンのアクティベーションを示し、ＤＲＸの前記アクティベーションは、前記アンカー搬送波および前記サプリメンタリ搬送波の両方に共通する
ように構成されたコントローラーと
を備えたことを特徴とするノードＢ。
【請求項３０】
前記コントローラーは、前記送信機を介して、前記アンカー搬送波上で、ＤＲＸの非アクティベーションを示している第３の物理レイヤーメッセージを前記ＷＴＲＵに送信するようにさらに構成され、前記第３の物理レイヤーメッセージは、前記アンカー搬送波および前記サプリメンタリ搬送波の両方上でＤＲＸを非アクティブにするようにさらに構成されたことを特徴とする請求項２９に記載のノードＢ。
【請求項３１】
ＤＲＸのアクティベーションを示している前記第２の物理レイヤーメッセージは高速共有制御チャネル（ＨＳ−ＳＣＣＨ）オーダーであり、およびＤＲＸの非アクティベーションを示している前記第３の物理レイヤーメッセージはＨＳ−ＳＣＣＨオーダーであることを特徴とする請求項３０に記載のノードＢ。
【請求項３２】
前記コントローラーは、前記送信機を介して、前記アンカー搬送波または前記サプリメンタリ搬送波の１つ上で、前記ＷＴＲＵで前記サプリメンタリ搬送波を非アクティブにするための第４の物理レイヤーメッセージを前記ＷＴＲＵに送信するようにさらに構成されたことを特徴とする請求項３０に記載のノードＢ。
【請求項３３】
前記サプリメンタリ搬送波をアクティブにするための前記第１の物理レイヤーメッセージは高速共有制御チャネル（ＨＳ−ＳＣＣＨ）オーダーであり、および前記サプリメンタリ搬送波を非アクティブにするための前記第４の物理レイヤーメッセージはＨＳ−ＳＣＣＨオーダーであることを特徴とする請求項３２に記載のノードＢ。
【請求項３４】
前記コントローラーは、前記送信機を介して、前記サプリメンタリ搬送波を再アクティブにするための第５の物理レイヤーメッセージを前記アンカー搬送波を介して前記ＷＴＲＵに送信し、および、前記送信機を介して、前記サプリメンタリ搬送波を再アクティブにした後にオリジナルデータとして前記サプリメンタリ搬送波を介して前記ＷＴＲＵにデータを送信するようにさらに構成されたことを特徴とする請求項３２に記載のノードＢ。
【請求項３５】
前記コントローラーは、前記送信機を介して、前記ＤＲＸパターンにしたがって前記アンカー搬送波または前記サプリメンタリ搬送波の少なくとも１つを介して高速物理ダウンリンク共有チャネル（ＨＳ−ＰＣＳＣＨ）上でデータを送信するようにさらに構成されたことを特徴とする請求項２９に記載のノードＢ。
【請求項３６】
前記ＤＲＸパターンは、前記アンカー搬送波および前記サプリメンタリ搬送波に対する間欠送信（ＤＴＸ）パターンに整列されることを特徴とする請求項２９に記載のノードＢ。
【請求項３７】
前記コントローラーは、前記アンカー搬送波および前記サプリメンタリ搬送波に渡る前記整列されたＤＲＸパターンに対する前記ＷＴＲＵの嗜好のインジケーションを受信するようにさらに構成されることを特徴とする請求項２９に記載のノードＢ。
【請求項３８】
前記ＤＲＸパターンは、２ミリ秒送信時間間隔（ＴＴＩ）に整列されることを特徴とする請求項２９に記載のノードＢ。